【手続補正書】
【提出日】令和3年5月17日(2021.5.17)
【手続補正１】
【補正対象書類名】特許請求の範囲
【補正対象項目名】全文
【補正方法】変更
【補正の内容】
【特許請求の範囲】
【請求項１】
装置であって、前記装置は、
光ファイバと、
アクチュエータと、
前記アクチュエータを前記光ファイバに機械的に結合する継手と
を備え、
前記継手は、
軸に沿って延びているネックであって、前記光ファイバは、前記ネックを通して前記軸に沿って延びている開口に通されており、前記光ファイバは、前記軸に面する前記ネックの表面において前記継手に取り付けられている、ネックと、
前記軸に沿って延びているカラーであって、前記アクチュエータは、前記軸に面する前記カラーの内面において前記継手に機械的に取り付けられている、カラーと、
前記ネックから前記カラーまで半径方向に延びているフレクシャ要素であって、前記フレクシャ要素は、前記ネックと前記カラーとの間に延びている１つ以上の梁を備えている、フレクシャ要素と
を備え、
動作中、前記継手は、前記アクチュエータからの力を前記光ファイバに結合することにより、前記ネックから延びている前記光ファイバの一部の向きを前記軸に対して変動させる、装置。
【請求項２】
前記フレクシャ要素は、前記ネックと前記カラーとの間に延びている環状部分を備えている、請求項１に記載の装置。
【請求項３】
前記カラーは、前記ネックから離れる方向に前記軸に沿って延びている、請求項１に記載の装置。
【請求項４】
前記カラーは、前記ネックの周辺の周りに前記軸に沿って延びている、請求項１に記載の装置。
【請求項５】
前記継手は、前記軸の周りに回転対称である、請求項１に記載の装置。
【請求項６】
前記継手は、前記軸の周りに少なくとも４回回転対称性を有する、請求項５に記載の装置。
【請求項７】
前記継手は、前記軸に対する第１の剛性、第１の半径方向に対する第２の剛性、および前記第１の半径方向に直交する第２の半径方向に対する第３の剛性を有し、
前記第１の剛性は、前記第２の剛性および前記第３の剛性より大きい、請求項１に記載の装置。
【請求項８】
前記第２の剛性および前記第３の剛性は、実質的に等しい、請求項７に記載の装置。
【請求項９】
前記継手は、結晶シリコンを備えている、請求項１に記載の装置。
【請求項１０】
前記結晶シリコンは、（１１１）結晶構造を有する、請求項９に記載の装置。
【請求項１１】
前記継手は、アモルファスシリコンを備えている、請求項１に記載の装置。
【請求項１２】
前記継手は、シリコンの１つ以上の層と、電気絶縁材料の１つ以上の層とを備えている、請求項１に記載の装置。
【請求項１３】
前記電気絶縁材料は、二酸化ケイ素を備えている、請求項１２に記載の装置。
【請求項１４】
前記ネックは、実質的に円形の断面を有する、請求項１に記載の装置。
【請求項１５】
前記ネックは、２００μｍより小さい内径を有する、請求項１４に記載の装置。
【請求項１６】
前記ネックは、３００μｍより小さい外径を有する、請求項１４に記載の装置。
【請求項１７】
前記ネックは、前記ネックの周辺に沿って１つ以上のスロットを画定する、請求項１に記載の装置。
【請求項１８】
前記カラーは、実質的に円形の断面を有する、請求項１に記載の装置。
【請求項１９】
前記カラーは、１，５００μｍより小さい内径を有する、請求項１８に記載の装置。
【請求項２０】
前記カラーは、２，０００μｍより小さい外径を有する、請求項１８に記載の装置。
【請求項２１】
前記カラーは、前記カラーの周辺に沿って１つ以上のスロットを画定する、請求項１に記載の装置。
【請求項２２】
前記光ファイバと光学連通している照明源をさらに備え、前記照明源は、動作中、光を前記光ファイバの中に向けるように構成されている、請求項１に記載の装置。
【請求項２３】
前記アクチュエータは、動作中、前記光ファイバの第１の端部が所定のパターンをトラバースするように、前記光ファイバの一部の向きを変動させるように構成されている、請求項２２に記載の装置。
【請求項２４】
光学ガイドが、動作中、前記照明源から光を受け取り、前記受け取られた光を前記光ファイバの端部に誘導し、前記受け取られた光を前記光ファイバの第１の端部から放出するように構成されている、請求項２３に記載の装置。
【手続補正２】
【補正対象書類名】明細書
【補正対象項目名】００２５
【補正方法】変更
【補正の内容】
【００２５】
１つ以上の実施形態の詳細が、付随の図面および下記説明に記載される。他の特徴および利点が、説明および図面から、ならびに請求項から明白となるであろう。
本発明は、例えば、以下を提供する。
（項目１）
装置であって、前記装置は、
光ファイバと、
アクチュエータと、
前記アクチュエータを前記光ファイバに機械的に結合する継手と
を備え、
前記継手は、
軸に沿って延びているネックであって、前記光ファイバは、前記ネックを通して前記軸に沿って延びている開口に通されており、前記光ファイバは、前記軸に面する前記ネックの表面において前記継手に取り付けられている、ネックと、
前記軸に沿って延びているカラーであって、前記アクチュエータは、前記軸に面する前記カラーの内面において前記継手に機械的に取り付けられている、カラーと、
前記ネックから前記カラーまで半径方向に延びているフレクシャ要素と
を備え、
動作中、前記継手は、前記アクチュエータからの力を前記光ファイバに結合することにより、前記ネックから延びている前記光ファイバの一部の向きを前記軸に対して変動させる、装置。
（項目２）
前記フレクシャ要素は、前記ネックと前記カラーとの間に延びている環状部分を備えている、項目１に記載の装置。
（項目３）
前記フレクシャ要素は、前記ネックと前記カラーとの間に延びている１つ以上の梁を備えている、項目１に記載の装置。
（項目４）
前記カラーは、前記ネックから離れる方向に前記軸に沿って延びている、項目１に記載の装置。
（項目５）
前記カラーは、前記ネックの周辺の周りに前記軸に沿って延びている、項目１に記載の装置。
（項目６）
前記継手は、前記軸に対して回転対称である、項目１に記載の装置。
（項目７）
前記継手は、前記軸の周りに少なくとも４回回転対称性を有する、項目６に記載の装置。
（項目８）
前記継手は、前記軸に対する第１の剛性、第１の半径方向に対する第２の剛性、および前記第１の半径方向に直交する第２の半径方向に対する第３の剛性を有し、
前記第１の剛性は、前記第２の剛性および前記第３の剛性より大きい、項目１に記載の装置。
（項目９）
前記第２の剛性および前記第３の剛性は、実質的に等しい、項目８に記載の装置。
（項目１０）
前記継手は、結晶シリコンを備えている、項目１に記載の装置。
（項目１１）
前記結晶シリコンは、（１１１）結晶構造を有する、項目１０に記載の装置。
（項目１２）
前記継手は、アモルファスシリコンを備えている、項目１に記載の装置。
（項目１３）
前記継手は、シリコンの１つ以上の層と、電気絶縁材料の１つ以上の層とを備えている、項目１に記載の装置。
（項目１４）
前記電気絶縁材料は、二酸化ケイ素を備えている、項目１３に記載の装置。
（項目１５）
外側部分は、実質的に円形の断面を有する、項目１に記載の装置。
（項目１６）
前記ネックは、２００μｍより小さい内径を有する、項目１５に記載の装置。
（項目１７）
前記ネックは、３００μｍより小さい外径を有する、項目１５に記載の装置。
（項目１８）
前記ネックは、前記ネックの周辺に沿って１つ以上のスロットを画定する、項目１に記載の装置。
（項目１９）
前記カラーは、実質的に円形の断面を有する、項目１に記載の装置。
（項目２０）
前記カラーは、１，５００μｍより小さい内径を有する、項目１９に記載の装置。
（項目２１）
前記カラーは、２，０００μｍより小さい外径を有する、項目１９に記載の装置。
（項目２２）
前記カラーは、前記カラーの周辺に沿って１つ以上のスロットを画定する、項目１に記載の装置。
（項目２３）
前記光ファイバと光学連通している照明源をさらに備え、前記照明源は、動作中、光を前記光ファイバの中に向けるように構成されている、項目１に記載の装置。
（項目２４）
前記アクチュエータは、動作中、前記光ファイバの第１の端部が所定のパターンをトラバースするように、前記光ファイバの一部の向きを変動させるように構成されている、項目２３に記載の装置。
（項目２５）
光学ガイドが、動作中、前記照明源から光を受け取り、前記受け取られた光を前記光ファイバの端部に誘導し、前記受け取られた光を前記光ファイバの第１の端部から放出するように構成されている、項目２４に記載の装置。
（項目２６）
前記フレクシャ要素は、前記フレクシャ要素を通して延びている１つ以上のスロットを画定する、項目１に記載の装置。
（項目２７）
前記１つ以上のスロットは、前記軸の周りに螺旋状に配置されている、項目１に記載の装置。
（項目２８）
前記フレクシャ要素は、ジンバル構造を備えている、項目１に記載の装置。
（項目２９）
前記ジンバル構造は、リングと、前記ネックを前記リングに機械的に結合している複数の内側梁と、前記リングを前記カラーに機械的に結合している複数の外側梁とを備えている、項目２８に記載の装置。